(57)【特許請求の範囲】
【請求項１】
ネットワークを流れるフレームのヘッダを抽出して記録する記録手段と、上記記録手段に記録されているヘッダを参照して、そのフレームの発信元及び宛先を確認し、発信元及び宛先が同一のフレームが所定時間以上連続すると、そのフレームに割り当てている帯域を拡大する帯域制御手段とを備えた帯域制御装置。
【請求項２】
ネットワークを流れるフレームのヘッダを抽出して記録する記録手段と、上記記録手段に記録されているヘッダを参照して、そのフレームの発信元及び宛先を確認し、発信元及び宛先が同一であり、かつ、フレーム長が所定長以下であるフレームが所定時間以上連続している場合、そのフレームを廃棄する廃棄制御手段とを備えた帯域制御装置。
【請求項３】
所定時間の設定を受け付ける受付手段を設けたことを特徴とする請求項１または請求項２記載の帯域制御装置。
【請求項４】
受付手段は、ネットワーク経由で所定時間の設定を受け付けることを特徴とする請求項３記載の帯域制御装置。
【請求項５】
ネットワークを流れるフレームのヘッダを抽出して記録する一方、その記録しているヘッダを参照して、そのフレームの発信元及び宛先を確認し、発信元及び宛先が同一のフレームが所定時間以上連続すると、そのフレームに割り当てている帯域を拡大する帯域制御方法。
【請求項６】
ネットワークを流れるフレームのヘッダを抽出して記録する一方、その記録しているヘッダを参照して、そのフレームの発信元及び宛先を確認し、発信元及び宛先が同一であり、かつ、フレーム長が所定長以下であるフレームが所定時間以上連続している場合、そのフレームを廃棄する帯域制御方法。
【請求項７】
所定時間の設定を受け付けることを特徴とする請求項５または請求項６記載の帯域制御方法。
【請求項８】
ネットワーク経由で所定時間の設定を受け付けることを特徴とする請求項７記載の帯域制御方法。
【発明の詳細な説明】
【０００１】
【発明の属する技術分野】
この発明は、フレームに割り当てる帯域を制御する帯域制御装置及び帯域制御方法に関するものである。
【０００２】
【従来の技術】
図９は例えば特開平３−１０１４４０号公報に示された従来の帯域制御装置を示す構成図であり、図において、１は何れかの端末２とデータの送受信を行う端末、２は何れかの端末１とデータの送受信を行う端末、３は何れかの端末１から呼の確立要求を受けると、確立要求元の端末１と通信先の端末２を識別し、両端末の属性情報と確立要求のパラメータ等を呼制御部６に通知するセル組立・分解部、４は何れかの端末２から呼の確立要求を受けると、確立要求元の端末２と通信先の端末１を識別し、両端末の属性情報と確立要求のパラメータ等を呼制御部６に通知するセル組立・分解部、５はＡＴＭ伝送路である。
【０００３】
６はセル組立・分解部３又はセル組立・分解部４から端末の属性情報や確立要求のパラメータ等を受けると、その属性情報やパラメータに基づいて当該呼の優先度を決定するとともに、当該呼に割り当てる帯域幅を決定する呼制御部、７は呼制御部６により決定された帯域幅に相当する未使用の帯域幅が存在する場合には、その帯域幅の割当通知を帯域制御部８，９に出力し、呼制御部６により決定された帯域幅に相当する未使用の帯域幅が存在しない場合には、優先度の低い呼に割り当てている帯域幅の減量通知と、呼制御部６により決定された帯域幅の割当通知とを帯域制御部８，９に出力する帯域管理部、８，９は帯域管理部７から帯域幅の割当通知等を受けると、その通知内容にしたがって当該呼に帯域を割り当てる帯域制御部である。
【０００４】
次に動作について説明する。
例えば、セル組立・分解部３が何れかの端末１から呼の確立要求を受けると、確立要求元の端末１と通信先の端末２を識別し、両端末の属性情報と確立要求のパラメータを呼制御部６に通知する。
呼制御部６は、セル組立・分解部３から端末１，２の属性情報と呼の確立要求のパラメータを受けると、その属性情報とパラメータを参照して、その呼の優先度と、その呼に割り当てる帯域幅を決定する。
【０００５】
帯域管理部７は、呼制御部６が当該呼に割り当てる帯域幅を決定すると、その帯域幅に相当する未使用の帯域幅が存在するか否かを判断する。
そして、その帯域幅に相当する未使用の帯域幅が存在する場合には、その帯域幅の割当通知を帯域制御部８，９に出力する。
【０００６】
一方、その帯域幅に相当する未使用の帯域幅が存在しない場合には、その呼の優先度と、既に帯域を割り当てている呼の優先度とを比較して、今回帯域を割り当てる呼より優先度の低い呼を検索する。
そして、帯域管理部７は、優先度の低い呼に割り当てている帯域の減量を決定し、その帯域幅の減量通知と、当該呼に対する帯域の割当通知を帯域制御部８，９に出力する。
【０００７】
帯域制御部８，９は、帯域管理部７から帯域幅の割当通知及び帯域幅の減量通知を受けると、その通知内容にしたがって当該呼に帯域を割り当てるとともに、優先度の低い呼の帯域を減量する。
【０００８】
【発明が解決しようとする課題】
従来の帯域制御装置は以上のように構成されているので、端末が呼の確立要求を行う際、端末の属性情報等をデータに埋め込む機能を有していれば、通信中のデータ量に応じた帯域制御を実施することができるが、そのような機能を有していない端末に対してはデータ量に応じた帯域制御を実施することができないなどの課題があった。
【０００９】
この発明は上記のような課題を解決するためになされたもので、端末の属性情報等をデータに埋め込むことなく、通信中のデータ量に応じた帯域制御を実施することができる帯域制御装置及び帯域制御方法を得ることを目的とする。
【００１０】
【課題を解決するための手段】
この発明に係る帯域制御装置は、記録手段に記録されているフレームのヘッダを参照して、そのフレームの発信元及び宛先を確認し、発信元及び宛先が同一のフレームが所定時間以上連続すると、そのフレームに割り当てている帯域を拡大する帯域制御手段を設けたものである。
【００１２】
この発明に係る帯域制御装置は、記録手段に記録されているフレームのヘッダを参照して、そのフレームの発信元及び宛先を確認し、発信元及び宛先が同一であり、かつ、フレーム長が所定長以下であるフレームが所定時間以上連続している場合、そのフレームを廃棄する廃棄制御手段を設けたものである。
【００１４】
この発明に係る帯域制御装置は、所定時間の設定を受け付ける受付手段を設けたものである。
【００１５】
この発明に係る帯域制御装置は、受付手段がネットワーク経由で所定時間の設定を受け付けるようにしたものである。
【００１６】
この発明に係る帯域制御方法は、ネットワークを流れるフレームのヘッダを参照して、そのフレームの発信元及び宛先を確認し、発信元及び宛先が同一のフレームが所定時間以上連続すると、そのフレームに割り当てている帯域を拡大するようにしたものである。
【００１８】
この発明に係る帯域制御方法は、ネットワークを流れるフレームのヘッダを参照して、そのフレームの発信元及び宛先を確認し、発信元及び宛先が同一であり、かつ、フレーム長が所定長以下であるフレームが所定時間以上連続している場合、そのフレームを廃棄するようにしたものである。
【００２０】
この発明に係る帯域制御方法は、所定時間の設定を受け付けるようにしたものである。
【００２１】
この発明に係る帯域制御方法は、ネットワーク経由で所定時間の設定を受け付けるようにしたものである。
【００２２】
【発明の実施の形態】
以下、この発明の実施の一形態を説明する。
実施の形態１．
図１はこの発明の実施の形態１による帯域制御装置を示す構成図であり、図において、１１，１２は各種のＬＡＮと内部機構とのインタフェースを実施するネットワークＩ／Ｆ、１３はネットワークを流れるフレームのヘッダを抽出し、そのヘッダに時刻情報を付加してヘッダメモリ１４に格納するフレーム組立・分解部、１４は時刻情報が付加されたヘッダを格納するヘッダメモリである。
なお、フレーム組立・分解部１３及びヘッダメモリ１４から記録手段が構成されている。
【００２３】
１５は帯域管理部１６がフレームの時間的な連続性を判断するために使用する連続判断情報を格納する連続判断情報格納部、１６はヘッダメモリ１４に格納されているヘッダと連続判断情報を参照して、フレームの時間的な連続性を監視する帯域管理部、１７，１８は発信元及び宛先が同一のフレームが所定時間以上連続すると、そのフレームに割り当てている帯域を拡大する帯域制御部である。
なお、連続判断情報格納部１５、帯域管理部１６及び帯域制御部１７，１８から帯域制御手段が構成されている。
図２はこの発明の実施の形態１による帯域制御方法を示すフローチャートである。
【００２４】
次に動作について説明する。
フレーム組立・分解部１３は、ネットワークＩ／Ｆ１１，１２が、あるＬＡＮから出力されたフレームを取り込むと、そのフレームのヘッダを抽出し（ステップＳＴ１）、そのヘッダに時刻情報を付加してヘッダメモリ１４に格納する（ステップＳＴ２）。
【００２５】
帯域管理部１６は、ヘッダメモリ１４に格納されている時刻情報付きのヘッダを参照して、フレームの時間的な連続性を監視する（ステップＳＴ３）。
即ち、ヘッダメモリ１４に格納されている時刻情報付きのヘッダを参照して、発信元及び宛先が同一のフレームの時間的な連続性を監視する。
そして、帯域管理部１６は、発信元及び宛先が同一のフレームが、連続判断情報格納部１５に格納されている連続判断情報が示す時間より長い間、連続している場合、そのフレームが所定時間以上連続している旨を帯域制御部１７，１８に通知する（ステップＳＴ４）。
【００２６】
帯域制御部１７，１８は、帯域管理部１６から上記のような通知を受けると、そのフレームに割り当てている帯域を拡大する（ステップＳＴ５）。
これにより、例えば、画像データなどが含まれる大きなファイルを効率よく伝送することができるようになる。
【００２７】
以上で明らかなように、この実施の形態１によれば、ヘッダメモリ１４に格納されている時刻情報付きのヘッダを参照して、そのフレームの時間的な連続性を監視し、その時間的な連続性に応じて当該フレームに割り当てる帯域を制御するように構成したので、端末の属性情報等をデータに埋め込むことなく、通信中のデータ量に応じた帯域制御を実施することができる効果を奏する。
【００２８】
実施の形態２．
図３はこの発明の実施の形態２による帯域制御装置を示す構成図であり、図において、図１と同一符号は同一または相当部分を示すので説明を省略する。
１９は帯域管理部２０がフレームの時間的な異常連続性を判断するために使用する異常連続判断情報を格納する異常連続判断情報格納部、２０はヘッダメモリ１４に格納されているヘッダと異常連続判断情報を参照して、フレームの時間的な異常連続性を監視する帯域管理部、２１，２２は発信元及び宛先が同一のフレームが所定時間以上連続すると、そのフレームを廃棄する帯域制御部である。
なお、異常連続判断情報格納部１９、帯域管理部２０及び帯域制御部２１，２２から廃棄制御手段が構成されている。
図４はこの発明の実施の形態２による帯域制御方法を示すフローチャートである。
【００２９】
次に動作について説明する。
フレーム組立・分解部１３は、ネットワークＩ／Ｆ１１，１２が、あるＬＡＮから出力されたフレームを取り込むと、そのフレームのヘッダを抽出し（ステップＳＴ１１）、そのヘッダに時刻情報を付加してヘッダメモリ１４に格納する（ステップＳＴ１２）。
【００３０】
帯域管理部２０は、ヘッダメモリ１４に格納されている時刻情報付きのヘッダを参照して、フレームの時間的な異常連続性を監視する（ステップＳＴ１３）。即ち、ヘッダメモリ１４に格納されている時刻情報付きのヘッダを参照して、発信元及び宛先が同一のフレームの時間的な異常連続性を監視する。ただし、異常連続判断情報に規定されている所定長以下の短いフレームを対象にして監視する。
そして、帯域管理部２０は、発信元及び宛先が同一のフレーム（所定長以下の短いフレーム）が、異常連続判断情報が示す時間より長い間、連続している場合、そのフレームが所定時間以上、異常連続している旨を帯域制御部２１，２２に通知する（ステップＳＴ１４）。
【００３１】
帯域制御部２１，２２は、帯域管理部２０から上記のような通知を受けると、そのフレームを廃棄する（ステップＳＴ１５）。
これにより、例えば、伝送路異常の発生に伴って、同一のファイルが必要以上に繰り返し伝送されるなどの帯域の不効率な使用を回避することができるようになる。
【００３２】
以上で明らかなように、この実施の形態２によれば、ヘッダメモリ１４に格納されている時刻情報付きのヘッダを参照して、そのフレームの時間的な異常連続性を監視し、その時間的な異常連続性に応じて当該フレームを廃棄するように構成したので、伝送帯域の効率的な運用を図ることができる効果を奏する。
【００３３】
実施の形態３．
図５はこの発明の実施の形態３による帯域制御装置を示す構成図であり、図において、図１と同一符号は同一または相当部分を示すので説明を省略する。
２３はオペレータによる連続判断情報の設定を受け付ける情報設定部（受付手段）である。
【００３４】
上記実施の形態１では、予め連続判断情報が連続判断情報格納部１５に格納されているものについて示したが、情報設定部２３がオペレータによる連続判断情報の設定を受け付けて、その連続判断情報を連続判断情報格納部１５に格納するようにしてもよい。
これにより、オペレータが自由に連続判断情報が示す所定時間を設定することができるため、システムの汎用性を高めることができる。
【００３５】
実施の形態４．
図６はこの発明の実施の形態４による帯域制御装置を示す構成図であり、図において、図３と同一符号は同一または相当部分を示すので説明を省略する。
２４はオペレータによる異常連続判断情報の設定を受け付ける情報設定部（受付手段）である。
【００３６】
上記実施の形態２では、予め異常連続判断情報が異常連続判断情報格納部１９に格納されているものについて示したが、情報設定部２４がオペレータによる異常連続判断情報の設定を受け付けて、その異常連続判断情報を異常連続判断情報格納部１９に格納するようにしてもよい。
これにより、オペレータが自由に異常連続判断情報が示す所定時間を設定することができるため、システムの汎用性を高めることができる。
【００３７】
実施の形態５．
上記実施の形態３，４では、情報設定部２３，２４がオペレータによる連続判断情報，異常連続判断情報の設定を受け付けるものについて示したが、図７及び図８に示すように、情報設定部２３，２４がネットワーク経由で連続判断情報，異常連続判断情報の設定を受け付けるようにしてもよい。
これにより、連続判断情報や異常連続判断情報を設定する際の容易化を図ることができる。
【００３８】
【発明の効果】
以上のように、この発明によれば、記録手段に記録されているフレームのヘッダを参照して、そのフレームの発信元及び宛先を確認し、発信元及び宛先が同一のフレームが所定時間以上連続すると、そのフレームに割り当てている帯域を拡大する帯域制御手段を設けように構成したので、例えば、画像データなどが含まれる大きなファイルを効率よく伝送することができる効果がある。
【００４０】
この発明によれば、記録手段に記録されているフレームのヘッダを参照して、そのフレームの発信元及び宛先を確認し、発信元及び宛先が同一であり、かつ、フレーム長が所定長以下であるフレームが所定時間以上連続している場合、そのフレームを廃棄する廃棄制御手段を設けるように構成したので、例えば、伝送路異常の発生に伴って、同一のファイルが必要以上に繰り返し伝送されるなどの帯域の不効率な使用を回避することができる効果がある。
【００４２】
この発明によれば、所定時間の設定を受け付ける受付手段を設けるように構成したので、システムの汎用性を高めることができる効果がある。
【００４３】
この発明によれば、受付手段がネットワーク経由で所定時間の設定を受け付けるように構成したので、所定時間を設定する際の容易化を図ることができる効果がある。
【００４４】
この発明によれば、ネットワークを流れるフレームのヘッダを参照して、そのフレームの発信元及び宛先を確認し、発信元及び宛先が同一のフレームが所定時間以上連続すると、そのフレームに割り当てている帯域を拡大するように構成したので、例えば、画像データなどが含まれる大きなファイルを効率よく伝送することができる効果がある。
【００４６】
この発明によれば、ネットワークを流れるフレームのヘッダを参照して、そのフレームの発信元及び宛先を確認し、発信元及び宛先が同一であり、かつ、フレーム長が所定長以下であるフレームが所定時間以上連続している場合、そのフレームを廃棄するように構成したので、例えば、伝送路異常の発生に伴って、同一のファイルが必要以上に繰り返し伝送されるなどの帯域の不効率な使用を回避することができる効果がある。
【００４８】
この発明によれば、所定時間の設定を受け付けるように構成したので、システムの汎用性を高めることができる効果がある。
【００４９】
この発明によれば、ネットワーク経由で所定時間の設定を受け付けるように構成したので、所定時間を設定する際の容易化を図ることができる効果がある。
【図面の簡単な説明】
【図１】  この発明の実施の形態１による帯域制御装置を示す構成図である。
【図２】  この発明の実施の形態１による帯域制御方法を示すフローチャートである。
【図３】  この発明の実施の形態２による帯域制御装置を示す構成図である。
【図４】  この発明の実施の形態２による帯域制御方法を示すフローチャートである。
【図５】  この発明の実施の形態３による帯域制御装置を示す構成図である。
【図６】  この発明の実施の形態４による帯域制御装置を示す構成図である。
【図７】  この発明の実施の形態５による帯域制御装置を示す構成図である。
【図８】  この発明の実施の形態５による帯域制御装置を示す構成図である。
【図９】  従来の帯域制御装置を示す構成図である。
【符号の説明】
１１，１２  ネットワークＩ／Ｆ、１３  フレーム組立・分解部（記録手段）、１４  ヘッダメモリ（記録手段）、１５  連続判断情報格納部（帯域制御手段）、１６  帯域管理部（帯域制御手段）、１７，１８  帯域制御部（帯域制御手段）、１９  異常連続判断情報格納部（廃棄制御手段）、２０  帯域管理部（廃棄制御手段）、２１，２２  帯域制御部（廃棄制御手段）、２３，２４  情報設定部（受付手段）。
【図１】
0003786883.tif 000002
【図２】
0003786883.tif 000003
【図３】
0003786883.tif 000004
【図４】
0003786883.tif 000005
【図５】
0003786883.tif 000006
【図６】
0003786883.tif 000007
【図７】
0003786883.tif 000008
【図８】
0003786883.tif 000009
【図９】
0003786883.tif 000010